(57)【要約】【課題】  機体前側に設ける予備苗枠だけでなく、予備苗枠と苗植付部の前後間に設ける補助苗枠にも巻き苗を積載可能に構成し、巻き苗を多量に積み込んでも機体の前後バランスが乱れにくく、且つ多量の巻き苗の機体への補充作業の能率を向上させることができる苗移植機を提供する。【解決手段】  走行車体７の側方で且つ予備苗枠６と苗植付部１５の前後間に、巻き苗の移動を規制する囲枠１８のうち走行車体７側に苗の出入部１７を形成し、囲枠１８に把持部１９を形成して攻勢する、予備の巻き苗を積載する補助苗枠１６を設け、この補助苗枠１６を第１支持フレーム２０に上下方向に複数段着脱自在に設けて構成する。【選択図】図１
2014068588.tif 000002
【特許請求の範囲】
【請求項１】
走行車体（７）の後側に苗植付部（１５）を昇降自在に設け、該走行車体（７）の前部に予備の巻き苗を積載する予備苗枠（６）を設けた苗移植機において、
前記走行車体（７）の側方で且つ該予備苗枠（６）と苗植付部（１５）の前後間に、予備の巻き苗を積載する補助苗枠（１６）を設けたことを特徴とする苗移植機。
【請求項２】
前記補助苗枠（１６）は、巻き苗の移動を規制する囲枠（１８）のうち走行車体（７）側に苗の出入部（１７）を形成し、該囲枠（１８）に把持部（１９）を形成して構成し、該補助苗枠（１６）を走行車体（７）から着脱可能な構成としたことを特徴とする請求項１に記載の苗移植機。
【請求項３】
前記走行車体（７）の側方に補助苗枠（１６）を支持する第１支持フレーム（２０）を設け、該第１支持フレーム（２０）のうち走行車体（７）側に前記補助苗枠（１６）を上下方向に複数装着可能としたことを特徴とする請求項１または２に記載の苗移植機。
【請求項４】
前記走行車体（７）の前部側方に予備苗枠（６）を支持する第２支持フレーム（２１）を設け、前記第１支持フレーム（２０）と第２支持フレーム（２１）の上部を連結フレーム（２２）で連結すると共に、該連結フレーム（２２）に太陽光や雨を避ける遮蔽部材（２３）を設けたことを特徴とする請求項１から３の何れか１項に記載の苗移植機。
【発明の詳細な説明】
【技術分野】
【０００１】
この発明は、苗移植機の苗タンクに供給する巻き苗を保持する予備苗枠及び補助苗枠を備える苗移植機において、多量の巻き苗をバランスよく走行車体に積載し、苗タンクへの苗補給を行い易くするものである。
【背景技術】
【０００２】
走行車体前部のフロアステップの外側部に補助苗枠を配置して、この補助苗枠から巻き苗を取り出しながら後部の苗タンクに補給する技術（例えば、特許文献１参照）が知られている。
【先行技術文献】
【特許文献】
【０００３】
【特許文献１】特開２０１１−１１００２２号公報
【発明の概要】
【発明が解決しようとする課題】
【０００４】
苗移植機の圃場における植付走行距離が長いときは、補助苗枠に積載しておく補給用の巻き苗の積載量が多くなるので、この巻き苗を補助苗枠に積み込む操作に要する時間が長くなり、作業能率が低下すると共に、作業者の労力が増大するという問題がある。
【０００５】
また、多量の巻き苗を走行車体の前部に設ける予備苗枠に積載すると、走行車体の前後バランスが乱れ易くなり、走行車体が前後に傾斜し易くなったり、ローリング傾斜し易くなったりするので、操作性や直進走行性が低下し、植付走行の安定性を欠け、苗の植付精度が低下するという問題がある。
【課題を解決するための手段】
【０００６】
請求項１に記載の発明は、走行車体（７）の後側に苗植付部（１５）を昇降自在に設け、該走行車体（７）の前部に予備の巻き苗を積載する予備苗枠（６）を設けた苗移植機において、前記走行車体（７）の側方で且つ該予備苗枠（６）と苗植付部（１５）の前後間に、予備の巻き苗を積載する補助苗枠（１６）を設けたことを特徴とする苗移植機とする。
【０００７】
請求項２に記載の発明は、前記補助苗枠（１６）は、巻き苗の移動を規制する囲枠（１８）のうち走行車体（７）側に苗の出入部（１７）を形成し、該囲枠（１８）に把持部（１９）を形成して構成し、該補助苗枠（１６）を走行車体（７）から着脱可能な構成としたことを特徴とする請求項１に記載の苗移植機とする。
【０００８】
請求項３に記載の発明は、前記走行車体（７）の側方に補助苗枠（１６）を支持する第１支持フレーム（２０）を設け、該第１支持フレーム（２０）のうち走行車体（７）側に前記補助苗枠（１６）を上下方向に複数装着可能としたことを特徴とする請求項１または２に記載の苗移植機とする。
【０００９】
請求項４に記載の発明は、前記走行車体（７）の前部側方に予備苗枠（６）を支持する第２支持フレーム（２１）を設け、前記第１支持フレーム（２０）と第２支持フレーム（２１）の上部を連結フレーム（２２）で連結すると共に、該連結フレーム（２２）に太陽光や雨を避ける遮蔽部材（２３）を設けたことを特徴とする請求項１から３の何れか１項に記載の苗移植機とする。
【発明の効果】
【００１０】
請求項１に記載の発明は、補助苗枠（１６）を走行車体（７）の前部外側に設ける予備苗枠（６）と、後部の苗植付部（１５）の間に配置したことにより、予備苗枠（６）に多量の巻き苗を収容させても、補助苗枠（１５）にも多量の巻き苗を積載すれば走行車体（７）の前後バランスを安定させることができるので、走行車体（７）の植付走行姿勢を安定させることができ、苗の植付精度や機体操作の安定化が図られる。
【００１１】
また、補助苗枠（１６）が予備苗枠（６）よりも苗植付部（１５）寄りに配置されることにより、補助苗枠（１６）に積載した巻き苗を苗植付部（１５）に移動させる距離を短くすることができるので、巻き苗の補充作業に要する時間が短縮され、作業能率が向上する。
【００１２】
請求項２に記載の発明は、請求項１に記載の発明の効果に加えて、補助苗枠（１６）の機体内側に出入部（１７）が形成されると共に、機体外側と機体前後側が囲枠（１８）で覆われることにより、機体の前後及び外側から巻き苗が落下することを防止できるので、苗を拾い上げる作用が不要となり、作業能率が向上すると共に、走行車体（７）からは巻き苗を容易に取ることができるので、作業能率が向上する。
【００１３】
また、囲枠（１８）で巻き苗の移動を規制することにより、巻き苗が転がって崩れたり開いたりすることを防止できるので、苗植付部（１５）に載置する苗が苗の植付作業に適した状態で維持されるため、苗の植付精度や、植付苗の成育が良好になる。
【００１４】
そして、囲枠（１８）に把持部（１９）を形成したことにより、作業者はこの把持部（１９）を持って囲枠（１８）を移動させることができるので、機外で補助苗枠（１６）に巻き苗を積載し、この巻き苗を満載した補助苗枠（１６）を走行車体（７）に積み込むことができ、巻き苗の積み込み作業の能率が向上する。
【００１５】
請求項３に記載の発明は、請求項１または２記載の発明の効果に加えて、素行車体（７）の側方に設ける第１支持フレーム（２０）に補助苗枠（１６）を着脱できる構成としたことにより、機外で補助苗枠（１６）に巻き苗を積載し、この巻き苗を満載した補助苗枠（１６）を走行車体（７）に積み込むことができ、巻き苗の積み込み作業の能率が向上する。
【００１６】
また、第１支持フレーム（２０）に補助苗枠（１６）を上下方向に複数段装着可能としたことにより、巻き苗の積載量を大幅に増やすことができるので、苗の植付作業中に巻き苗の補充作業を行うべく圃場端に移動する機会が減少し、作業能率が向上する。
【００１７】
請求項４に記載の発明は、請求項１から３の何れか１項に記載の発明の効果に加えて、走行車体（７）の側方に設ける第１支持フレーム（２０）と、走行車体の前部側方に設ける第２支持フレーム（２１）の上部を連結フレーム（２０）で連結することにより、第１支持フレーム（２０）と第２支持フレーム（２１）が互いを支え合う構成とすることができるので、予備苗枠（６）及び補助苗枠（１６）が機体の振動等によって揺れることが防止され、巻き苗の落下や、巻き苗が崩れることが防止されて、圃場への苗の植付精度が向上する。
【００１８】
また、連結フレーム（２２）に遮蔽部材（２３）を設けることにより、雨や直射光から作業者や巻き苗を保護することができるので、作業者の労力が軽減されると共に、植付後の苗の成育が良好になる。
【図面の簡単な説明】
【００１９】
【図１】苗移植機の側面図
【図２】苗移植機の平面図
【図３】（ａ）補助苗枠の部分斜視図、（ｂ）補助苗枠の部分側面図
【図４】苗タンクの一部の側面図
【図５】一部別例を示す苗移植機の側面図
【図６】一部別例を示す苗移植機の平面図
【図７】一部別例を示す苗移植機の側面図
【図８】一部別例を示す苗移植機の平面図
【発明を実施するための形態】
【００２０】
本発明に関する苗移植機は、前輪１、後輪２、運転席３、ステアリングハンドル４、これら運転席３及びステアリングハンドル４の横側に沿って形成のフロアステップ５、及びこのフロアステップ５の前端外側部に前部補助苗枠６等を配置する乗用走行車体７の後側に、植付フレーム８の底部を支持して土壌面を滑走しながら均平するフロート９と、後傾斜のタンク面１０に供給された巻き苗を繰出す苗タンク１１と、この苗タンク１１の後傾斜下端部の苗取口１２に繰出された苗を植付爪１３で分離保持して前記フロート９で均平した土壌面に植付ける植付装置１４とからなる多条植形態の苗植付部１５を昇降可能に連結している。
【００２１】
前記走行車体７の中央部には、エンジン２４を積載し、この上側を覆うエンジカバー２５の上側に運転席３を設け、この運転席３、及びエンジンカバー２５と、前方のステアリングポスト２６、及びステアリングハンドル４との間に、センタフロート２７を設けて、走行車体７の走行運転を行うことができる。
【００２２】
フロアステップ５は、走行運転を行うことができる。フロアステップ５は、これらセンタフロア２７、エンジカバー２５、及びステリンポスト２６等の左右両側部に位置して前後方向に長く形成され、後端部には後輪２上側部フェンダ部２８を介して運転席３後側部のリヤフロア２９に連接して形成し、運転作業者の足元を移動して支持することができる。又、前記フロアステップ５の外側には、サブフロア５１を取付けて、増幅形態としている。
【００２３】
エンジン２４から前方配置の油圧無段変速装置３０をベルト伝動し、この油圧無断変速装置３０の主変速操作によってフロントミッションケース３１の副変速伝動機構を伝動して、フロントアクスルハウジング３２の左右両側部に軸装される前輪１を伝動駆動し、後輪連動軸３３を介してリヤアクスルハウジング３４の左右両側部に軸装される後輪２を伝動駆動し、又、苗植付部１５を伝動駆動するＰＴＯ軸３５を取出している。
【００２４】
前記前部補助苗枠６は、前記サブフロアステップ５１の前端外側部に支持フレーム２１によって支持構成される。走行車体７の前端部に支持して取付けられる支持フレーム２１上には、苗タンク１１に補給する巻き苗を多数枚積載することのできる棚板形態の予備苗枠６を適宜高さ間隔に配置し、一枚、乃至二枚毎の巻き苗を各段の予備苗枠６板上面に載置することができる。
【００２５】
この前部補助苗枠６上に積載した巻き苗は、苗植作業中に苗植付部１５の苗タンク１１の苗量が減少することによって、運転作業者が予備苗枠６上の巻き苗を取出して、フロアステップ５、５１上面を踏んで移動しながら、苗タンク１１部へ継足し供給して、苗植作業を継続するものである。
【００２６】
前記苗植付部１５は、巻き苗をタンク面１０に受けて、このタンク面１１の後傾斜面に沿って後端下部の苗取口１２部へ繰出すもので、このタンク面１０は段数枚の巻き苗を並列させて繰出できるように多条植形態に形成し、一条植幅相互の横方向間隔に亘って、左右往復移動するように、植付フレーム８内のリードカム等の連動機構によって駆動される。各タンク面１０の下端部には、苗タンク１１が左右横端部へ移動する毎に間歇的に駆動される繰出ベルト３６を設け、繰出によって植付爪１３によって分離される毎の巻き苗を苗取口１２上面へ繰出す。
【００２７】
苗タンク１１の傾斜後端部の苗取口１２には、ダブルクランク機構形態の植付装置１４の植付爪１３が、側面視略楕円形状の植付軌跡線Ｄを形成するように作動して、各苗取口１２に繰出される巻き苗から複数本宛ての植付苗を分離保持して、下方の各フロート９で均平された土壌面に植付ける。
【００２８】
前記フロート９は、植付走行幅の中央部に配置されるセンタフロート９と、この左右両側方に配置されるサイドフロート９とから構成されるが、このうちのセンタフロート９の上下迎角揺動によって、土壌耕盤が深くなるとリフトシリンダ３７を伸長させてリフトリンク３８を上昇回動して、苗植付部１５を上昇し、土壌耕盤が浅くなると逆に下降させて、植付装置１４による苗植付深さを略一定に維持するように昇降制御する形態である。
【００２９】
前記苗植付部１５は、リフトシリンダ３７によって昇降される平行リンク形態のリフトリンク３８を介して、走行車体７の後方に連結されて、苗植土壌面の状態に応じて昇降可能に設けられるが、この植付フレーム８の幅中央部がリフトリンク３８後端部のヒッチリンク３９に対してローリング軸４０周りに回動自在に設けられ、左右方向の土壌面の変化に応じてローリングし、またはローリング制御可能に構成される。
【００３０】
また、前記苗植付部１５の各フロート９の前側には、このフロート９で均平する土壌面を予め砕土掻均する代掻ロータ４１を設け、苗植付部１５と略一体的に昇降しながら、代掻作用を行うことができる。
【００３１】
前記のような多条植苗移植機において、前記走行車体７の横側には、前部補助苗枠６と後方苗植付部１５の苗タンク１１部との間に亘って形成されるフロアステップ５の外側部に、補助苗枠１６を設ける。
【００３２】
補助苗枠１６を、フロアステップ５の外側で、前部補助苗枠６と苗植付部１５の苗タンク１１部との間に位置して設けることによって、この補助苗枠１６に収容していた苗を取出しながら、後側の苗タンク１１へ補給して、苗植作業を継続することができる。この補助苗枠１６に積載の巻き苗は、前部補助苗枠６よりも後側の後輪２に近い位置に積載されるため、後輪２による支持重量比を増して、前部補助苗枠６による支持重量との前後重量バランスを図ることができる。
【００３３】
この補助苗枠１６から取出した巻き苗を後側の苗タンク１１へ供給するときは、これら補助苗枠１６と苗タンク１１との間の前後間隔が近いため、フロアステップ５の後部上に立つ作業者は前後歩行移動を少くした状態で、能率的な苗補給を行うことができる。又、前部補助苗枠６の苗を取出しながら苗タンク１１へ供給するときは、作業者は運転席３と外側の補助苗枠１６との間のフロアステップ５上面を前後移動しながら苗補給作業を行う。
【００３４】
また、前記補助苗枠１６は、フロアステップ５側に苗出入口１７を開口し、前後側部及び外側部に亘る平面視コ字状形態の囲枠１８を形成する共に、この囲枠１８部には把持部１９を形成して補助苗枠１６を持運び可能にし、かつこの補助苗枠１６の支持フレーム２０に対して着脱可能にして設ける。
【００３５】
前記走行車体７の補助苗枠１６に補助巻き苗を収容積載するときは、この補助苗枠１６を各箇毎、支持フレーム２０から取外して、所定の苗収容箇所へ移して、巻き苗を囲枠１８内部に収容させる。このとき、巻き苗が長く形成された形態では、ロール巻形態にした状態で複数巻苗収容させることもできるが、この囲枠１８内部に収容されたロール巻巻き苗は、底面や、前後両側面、及び外（奥）側面が囲枠１８内周面部に支持されるため、収容苗の姿勢が安定保持されて、苗崩れし難い状態に保持される。
【００３６】
このようにして巻き苗を収容した各補助苗枠１６を走行車体７の左右両側後部の支持フレーム２０部に段積形態に積込支持させる。このとき、各補助苗枠１６は、フロアステップ５外側に位置する支持フレーム２０の内側（フロアステップ５側）に積載し、各囲枠１８の苗出入１７をこのフロアステップ５側に対向させた形態にして積載支持させる。
【００３７】
苗植作業中に運転作業者がこの補助苗枠１６の巻き苗を一枚毎、又は一ロール巻毎、取出して苗タンク１１へ補給するときは、フロアステップ５の上面側から、各囲枠１８内の収容巻き苗を苗出入口１７からこのフロアステップ５上に取出して、後方の苗タンク１１へ巻き苗のみ持ち運んで供給する。このような補助苗枠１６は、比較的多量の巻き苗を収容して植付走行に伴って運搬走行することができるが、運転席３及び後輪２に近い位置に配置されていて、苗移植機全体として前後重量バランスを保持し易い状態にあって、植付走行上の安定性を維持し、苗植作業の能率化、及び高性能の苗植作用を維持する。
【００３８】
また、前記補助苗枠１６の支持フレーム２０を、フロアステップ５の外側部位置に立設し、前記補助苗枠１６はこの支持フレーム２０のフロアステップ５側に沿って複数段に配置する。
【００３９】
前記のように補助苗枠１６の支持フレーム２０は、フロアステップ５の外側位置に立設されているため、この支持フレーム２０の内側、即ちフロアステップ５側に沿って複数段の補助苗枠１６を積載するように配置することによって、植付走行中に走行車体７が左右一側へ大きく傾斜、乃至揺動しても、各段の巻き苗を収容した補助苗枠１６が外側へ倒れて苗植土壌面に落下したり、収容している巻き苗を落下させるようなことがなく、安定した収容状態を長距離に亘って維持して、植付走行に伴う運搬を行わせることができる。
【００４０】
各段の補助苗枠１６は、内側端がフロアステップ５上面にのぞむものであるから、このフロアステップ５上面側から運転作業者による巻き苗の取出作業、及び後方の苗タンク１１への苗補給作業等を迅速、的確に行わせる。
【００４１】
更には、前記走行車体７の左右両側部に配置する補助苗枠１６、又は前部補助苗枠６の支持フレーム２０、２１上端部相互間を上部連結フレーム２２で連結した、又は、この連結した上部連結フレーム２２上に雨除けシート、乃至サンバイザ２３を張設する。
【００４２】
前記補助苗枠１６を支持する左右両側の支持フレーム２０の上端部間を連結フレーム２２で連結することによって、これら各支持フレーム２０の上端部間の左右開閉揺動が生じ難く、走行中の走行車体７の傾斜や揺動等による補助苗枠１６の支持姿勢を安定させる。又、この上部連結フレーム２２は、前部補助苗枠６の支持フレーム２１と補助苗枠１６の支持フレーム２０との上端部間を連結するもよく、更には、前後左右に対角線状に配置される支持フレーム２０と２１との上端部間を連結する形態や、前後左右四隅部に配置の各支持フレーム２０、２１の上端部間を囲桁状形態に連結することも可能で、各支持フレーム２０、２１相互間の剛性構成を高め、苗載棚の段数を増して、安定支持することができる。
【００４３】
又、このような支持フレーム２０、２１の上端部間を連結する上部連結フレーム２２を利用して、上側に雨除シートを張設したり、サンバイザ２３を設けることによって、構成を簡単にして、運転作業者や、各前後部の補助苗枠６、１６等の巻き苗を、雨漏れや、日干乾燥等から保護して、長距離に亘る植付走行を快適に、円滑に行うことができる。
【００４４】
前記サブフロアステップ５１、及びフロアステップ５の後部左右外側部に、補助苗枠１６を構成する。この補助苗枠１６は、走行車体７後部に構成するリヤフレーム４２上に支持フレーム２０を立設し、この支持フレーム２０上に複数段の補助苗枠１６を配置支持する。前記リヤフレーム４２は、走行車体７の後端部にあって、前記リフトリンク３８の前端部を上下回動自在に連結するが、この上端部には、前記リヤフロア２９を取付支持すると共に、フェンダ部２８の後端部を支持する。
【００４５】
このリヤフレーム４２上に取付ける支持フレーム２０は、前後一対の支柱間をはしご状に連結して、前記フロアステップ５、又はサブフロアステップ５１の外側に位置して着脱可能に立設している。この支持フレーム２０には内側、即ちフロアステップ５の側へ向けて水平状にフォーク状の支持アーム４３を形成し、各段の支持アーム４３に、補助苗枠１６の苗載棚底部を載置支持させる形態である。この補助苗枠１６は、箱形形態に構成して、上面と一側面を苗出入口１７として開口して、巻き苗の出し入れの行い易い形態としている。
【００４６】
底部４４と、左右両側壁部及び外側壁部の囲枠１８を有し、この底部４４面上には、前記苗タンク１１の長手方向に沿って長く形成された巻き苗をロール巻形態にして収容させる。この各段の補助苗枠１６は、前後方の幅を広く設定して複数枚のロール巻状巻き苗Ａを並べて収容できる形態とすることができる。
【００４７】
前記各補助苗枠１６は、底面部４４に水抜穴４５を形成し、この底面部４４の下面にソケット４６を形成して、前記支持アーム４３に対して差込支持し易くする形態としている。又、囲枠１８部の上部には把持部１９を構成する把持穴を形成している。
【００４８】
このような補助苗枠１６を多数用意しておき、各段の支持アーム４３に差し替えて、補助苗の支持フレーム２０への積込を行わせることができる。前記支持アーム４３は、走行車体７内側のフロアステップ５の側へ突出しているため、巻き苗を収容した補助苗枠１６は、この内側のフロアステップ５上方位置からソケット４６を差込んで積載状態とすることができる。
【００４９】
また、前記各補助苗枠１６は、箱形上側部の開口部を開閉できる蓋板４７を設け形態とすることもできる。
前記走行車体７の後部左右両側部に立設された支持フレーム２０の上端部間を上部連結フレーム２２で相互に連結する。又、前部補助苗枠６の支持フレーム２１の左右上端部相互間をも、上部連結フレーム２２で連結している。更には、これら前部補助苗枠６の支持フレーム２１上端部と、補助苗枠１６の支持フレーム２０上端部との間を、上部連結フレーム２２で連結するもよい。
【００５０】
このように各支持フレーム２０、２１の上端部間を上部連結フレーム２２で相互に連結して、囲桁状のルーフフレームを構成して、このルーフフレームの上側に亘って雨除シートや、サンバイザ２３等を取付けて、運転席３上や、補助苗枠６、１６等の上部を覆う形態とすることができる。
【００５１】
次に、主として図４に基づいて、前記リヤフロア２９の上端部に適宜高さの位置にリヤガード５２（手摺り）が構成されるが、この走行車体７後側に連結される苗植付部１５の苗タンク１１の上端部に、苗受板５３を設けて、この苗受板５３の上端部をリヤガード５２上に位置させて、苗タンク１１上端部との間の間隔部を覆うようにして、苗タンク１１への補助苗を受けて供給し易くしたものである。
【００５２】
次に、主として図４に基づいて、前記リヤフロア２９の後端部に適宜高さの位置にリヤガード５２（手摺り）が構成されるが、この走行車体７後側に連結される苗植付部１５の苗タンク１１の上端部に、苗受板５３を設けて、この苗受板５３の上端部をリヤガード５２上に位置させて、苗タンク１１上端部との間の間隔部を覆うようにして、苗タンク１１への補助苗を受けて供給し易くしたものである。
【００５３】
この苗受板５３は、途中部に折曲げ可能のヒンジ５４を形成して、苗タンク１１側の基部５５を、この苗タンク１１の上端裏面側に出入自在に差込んで、苗補給時の苗受板５３使用時にのみ引き出し、不使用時には苗タンク１１側へ収納させておくことができる。
【００５４】
次に、主として図５、図６に基づいて、前記苗タンク１１の上部に給水して、タンク面に供給されて、繰出される巻き苗の乾燥を防止して、苗の繰出を円滑に行わせ、植付爪１３による苗植付を的確に行わせる。前記走行車体７の前部補助苗枠６の下部位置には、給水タンク６０を積載し、リヤフロア２９上には貯水タンク６１を積載して、給水タンク６０に注入した水をポンプ６２の駆動によって、送水ホース６３を介して貯水タンク６１へ供給する。
【００５５】
この貯水タンク６１からは給水パイプ乃至給水ホース６４、及びソレノイドバルブ６５等を経て各苗タンク１１の上端面に給水して流すように構成している。又、この給水ホース６４の先端には噴霧状に散水するノズル６８を設けることもできる、各タンク６０、６１には水位置センサ６６、６７を設けている。
【００５６】
次に、主として図７、図８に基づいて、前記貯水タンク６１に代えて、運転席３の内部を貯水できる貯水タンク６９として形成し、この貯水タンク６９から給水ホース６４を介して苗タンク１１上部に散水タンク７０へ給水して、タンク面１０に注水するように構成したものである。７１はリヤフロア２９上に設けた施肥装置である。貯水タンク６９の上端には注水キャプ７２を設けて、外部から給できる。
【００５７】
前記のように走行車体７側の貯水タンク６１や、６９から苗タンク１１側のノズル６８や、散水装置７０等へ給水する形態において、リフトシリンダ３７により苗植付部１５を非苗植作業位置へ上昇する時は、この苗植付部１５の上昇制御に連動して、前記給水ホース６４の給水弁６５を電気的、乃至機械的連動で閉鎖して、苗タンク１１への給水を自動停止するように構成することもできる。
【符号の説明】
【００５８】
６  予備苗枠
７  走行車体
８  植付フレーム
１５  苗植付部
１６  補助苗枠
１７  苗出入口（出入部）
１８  囲枠
１９  把持部
２０  第１支持フレーム
２１  第２支持フレーム
２２  上部連結フレーム（連結フレーム）
２３  サンバイザ（遮蔽部材）
【図１】
2014068588.tif 000003
【図２】
2014068588.tif 000004
【図３】
2014068588.tif 000005
【図４】
2014068588.tif 000006
【図５】
2014068588.tif 000007
【図６】
2014068588.tif 000008
【図７】
2014068588.tif 000009
【図８】
2014068588.tif 000010